(57)【要約】【課題】使用者の不快感を低減し、使用性の高いリモコン装置を提供すること。【解決手段】本発明のリモコン装置は、一方のリモコン１と他方のリモコン１１とを有し、一方のリモコン１に設けたマイク２で拾った音を、他方のリモコン２に設けたスピーカー１４から報知するとともに、マイク２とスピーカー１４との間の音声通話回路の途中に、ボイススイッチ回路２２を設けたことにより、マイク２に入力される音が小さい場合は、ボイススイッチ回路２２が反応しないため、他方のリモコン１１のスピーカー１４から報知される音は、極めて小さくなり、また一方のリモコン１側で呼んでいるような場合などは、ボイススイッチ回路２２が反応して、他方のリモコン１１のスピーカー１４から報知される音を、大きくすることができる。【選択図】図１
2009250561.tif 000002
【特許請求の範囲】
【請求項１】
一方のリモコンと他方のリモコンとを有し、一方のリモコンに設けたマイクで拾った音を、他方のリモコンに設けたスピーカーから報知するとともに、前記マイクと前記スピーカーとの間の音声通話回路の途中に、ボイススイッチ回路を設けたことを特徴とするリモコン装置。
【請求項２】
前記ボイススイッチ回路のボイススイッチ機能の有効・無効を切り換える切り換え手段を一方のリモコンおよび／または他方のリモコンに設けたことを特徴とする請求項１に記載のリモコン装置。
【請求項３】
前記ボイススイッチ回路の音声感度レベルを設定できる感度設定手段を設けたことを特徴とする請求項１または２に記載のリモコン装置。
【発明の詳細な説明】
【技術分野】
【０００１】
本発明は、給湯機を操作するリモコン装置に関する。
【背景技術】
【０００２】
従来より、入浴中の死亡事故が絶えないため、浴室での事故を防止するための機器の普及が進められているが、機器自体が高価であったり、設置工事が伴うものであったりするため、なかなか普及できていない実態がある。
【０００３】
そのような中、従来の給湯器のリモコン装置には、浴室と台所にリモコンが設置され、両方のリモコン間でインターホン機能を有し、浴室に設置されたリモコンが有するマイクで拾った音声を、台所に設置されたリモコンから聞くことができるもの（いわゆる、モニター機能）があった（例えば、特許文献１参照）。このように、従来から入浴者の状況を確認するためのリモコン装置は存在する。
【特許文献１】特開２００１−２０８４２２号公報
【発明の開示】
【発明が解決しようとする課題】
【０００４】
しかしながら、従来のリモコン装置に存在するモニター機能では、浴室の音を常時聞くことになるため、浴室の状況は把握できるものの、シャワーの音や、洗面器を置く音など大きい音がある反面、湯船につかっている間など小さい音もあり、さまざまな音が混在しているため、常時、浴室の音を台所リモコンで聞いていると、わずらわしさを感じてしまい、ユーザーに不快感を与えてしまうという課題を有していた。
【０００５】
本発明は、前記従来の課題を解決するもので、状況に応じて音声の出力を変更することで使用者の不快感を低減し、使用性の高いリモコン装置を提供することを目的とする。
【課題を解決するための手段】
【０００６】
前記従来の課題を解決するために、本発明のリモコン装置は、一方のリモコンと他方のリモコンとを有し、一方のリモコンに設けたマイクで拾った音を、他方のリモコンに設けたスピーカーから報知するとともに、前記マイクと前記スピーカーとの間の音声通話回路の途中に、ボイススイッチ回路を設けたことにより、マイクに入力される音が小さい場合は、ボイススイッチ回路が反応しないため、他方のリモコンのスピーカーから報知される音は、極めて小さくなり、また一方のリモコン側で呼んでいるような場合などは、ボイススイッチ回路が反応して、他方のリモコンのスピーカーから報知される音を、大きくすることができる。
【発明の効果】
【０００７】
本発明は、使用者の不快感を低減し、使用性の高いリモコン装置を提供することができる。
【発明を実施するための最良の形態】
【０００８】
第１の発明のリモコン装置は、一方のリモコンと他方のリモコンとを有し、一方のリモコンに設けたマイクで拾った音を、他方のリモコンに設けたスピーカーから報知するとともに、前記マイクと前記スピーカーとの間の音声通話回路の途中に、ボイススイッチ回路を設けたことにより、マイクに入力される音が小さい場合は、ボイススイッチ回路が反応しないため、他方のリモコンのスピーカーから報知される音は、極めて小さくなり、また一方のリモコン側で呼んでいるような場合などは、ボイススイッチ回路が反応して、他方
のリモコンのスピーカーから報知される音を、大きくすることができる。
【０００９】
第２の発明のリモコン装置は、特に第１の発明において、前記ボイススイッチ回路のボイススイッチ機能の有効・無効を切り換える切り換え手段を一方のリモコンおよび／または他方のリモコンに設けたことにより、ボイススイッチ回路が反応しないような小さな音であっても、他方のリモコン側で使用者が聞きたい場合には、ボイススイッチ機能を無効にすることで聞くことができる。
【００１０】
第３の発明のリモコン装置は、特に第１または第２の発明において、前記ボイススイッチ回路の音声感度レベルを設定できる感度設定手段を設けたことにより、使用者の入浴実態に合わせてモニター機能を使用することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における給湯機のリモコンのブロック図を示すものである。
【００１３】
図１において、一方のリモコンである風呂リモコン１では、マイク２と、マイク用増幅回路３と、スピーカー４と、スピーカー用増幅回路５と、通信手段６で、インターホン機能が構成されている。マイク回路９は、マイク２とマイク用増幅回路３で構成され、スピーカー回路１０は、スピーカー４とスピーカー用増幅回路５で構成される。また、マイコン７は、通話スイッチ８を入力し、通信手段６の起動／停止を行う。
【００１４】
他方のリモコンである台所リモコン１１では、マイク１２と、マイク用増幅回路１３と、スピーカー１４とスピーカー用増幅回路１５と、ボイススイッチ回路２２と、通信手段１６でインターホン機能が構成されている。マイク回路１９は、マイク１２とマイク用増幅回路１３で構成され、スピーカー回路２０は、スピーカー１４とスピーカー用増幅回路１５で構成される。また、マイコン１７は、通話スイッチ１８を入力し、通信手段１６の起動／停止を行う。浴室モニタースイッチ２３と切替手段２４は、マイコン１７に接続されている。感度設定手段２５は、ボイススイッチ回路２２に接続されている。給湯機２１は、風呂リモコン１と台所リモコン１１に接続されている。
【００１５】
風呂リモコン１のマイク回路９、スピーカー回路１０および通信手段６と、台所リモコン１１のマイク回路１９、スピーカー回路２０、通信手段１６およびボイススイッチ回路２２で、音声通話回路が構成されている。
【００１６】
以上のように構成された給湯機リモコンについて、以下その動作、作用を説明する。
【００１７】
まず、浴室モニター機能の説明の前に、ボイススイッチ回路２２の動作の説明をする。風呂リモコン１の通話スイッチ８を使用者が押すか、台所リモコン１１の通話スイッチ１８を使用者が押すと、インターホン機能が作動する。ボイススイッチ回路２２は、インターホンの受話と送話の切替回路の一種である。受話音量と送話音量を比較し、大きい方の音を伝える。
【００１８】
例えば、風呂リモコン１のマイク２が音を入力し、増幅回路３で増幅され、通信手段６で音声信号を台所リモコン１１に伝える。台所リモコン１１では、通信手段１６が風呂リモコンの音声信号を受け、ボイススイッチ回路２２に伝える。ボイススイッチ回路２２にとって、この音声信号が受話音量となる。
【００１９】
また、台所リモコン１１では、マイク１２が音を入力し、増幅回路１３で増幅され、ボイススイッチ回路２２に伝える。ボイススイッチ回路２２にとって、この信号が送話音量となる。
【００２０】
受話音量と送話音量が、共に設定の音量以下の場合、ボイススイッチ回路２２は、送話音量に−２０ｄＢの減衰を与え、受話音量にも−２０ｄＢの減衰を与える。よって、風呂リモコン１側でも台所リモコン１１側でも話していないときは、相手側の音は、−２０ｄＢ減衰した小さな音となるが、話をしていないので問題にはならず、無用な雑音も減衰するので使い勝手がよい。
【００２１】
例えば、風呂リモコン１側で話始めると、ボイススイッチ回路２２の受話音量が、設定の音量を超え、さらに受話音量と送話音量も比較においても受話音量が大きいと判断する。この場合、ボイススイッチ回路２２は、受話音量に＋６ｄＢの増幅を与え、逆に送話音量に、−４６ｄＢの大きな減衰を与える。
【００２２】
よって、風呂リモコン１側の音は、ボイススイッチ回路２２で＋６ｄＢの増幅後、増幅回路１５でさらに増幅され、スピーカー１４から大きな音として出力される。これにより、風呂リモコン１側の音が台所リモコン１１側に伝えられる。このとき、スピーカー１４から出力された音は、マイク１２に入力されるが、ボイススイッチ回路２２で−４６ｄＢの減衰が与えられるので、ハウリングしない。
【００２３】
逆に、台所リモコン１１側で話し始めた場合も、上記と同様、ボイススイッチ回路２２は、送話音量に＋６ｄＢの増幅を与え、受話音量に、−４６ｄＢの大きな減衰を与える。このように、ボイススイッチ回路２２は、インターホンの受話と送話を切り替え、さらに、ハウリングを防止する回路として使用される。
【００２４】
インターホン機能は、双方向の会話機能であるが、入浴の安全のための見守り機能としては、台所リモコン１１側の音、例えば、調理などの騒音を風呂リモコン１側にも伝えてしまい、使い勝手が悪い。そこで、下記のように、ボイススイッチ回路２２を用いて、浴室モニター機能を実現する。
【００２５】
浴室モニタースイッチ２３を使用者が押すと、マイコン１７は、ボイススイッチ回路２２の送話音量信号を停止させる。つまり、ボイススイッチ回路２２のマイク入力部をミュートさせる。よって、台所リモコン１１側で音があっても、ボイススイッチ回路２２は、反応せず、送話信号がないので、風呂リモコン１側で音がでない。
【００２６】
しかし、風呂リモコン側１で音があれば、ボイススイッチ回路２２は反応し、設定以上の音量であれば、受話信号を＋６ｄＢの増幅を行い、さらに、増幅回路１５で増幅されスピーカー１４から出力される。しかし、風呂リモコン側１で小さな音であれば、ボイススイッチ回路２２は、設定以上の音量がないので、受話信号を−２０ｄＢ減衰する。よって、増幅回路１５で増幅されスピーカー１４から出力される音は、小さく、うるさくない。
【００２７】
ボイススイッチ回路２２を用いることにより、風呂リモコン１側の小さな音、例えば、体を洗うなどの異常ではない音は、台所リモコン１１側では小さな音で出力し、助けを呼ぶような大きな音では、台所リモコン１で大きな音で出力できるので、浴室モニター機能として使い勝手がよく、浴室事故防止に役立つ。
【００２８】
さらに、本実施の形態では、切替手段２４を設けている。切替手段２４は、使用者がボイススイッチ機能の入／切を選択できる。つまり、ボイススイッチ機能を入にした場合、
すでに説明した動作、作用となる。切替スイッチ２４でボイススイッチ機能を切にした場合、マイコン１７は、ボイススイッチ回路２２に対して、ボイススイッチ機能を停止させ、受話固定とする。ボイススイッチ回路は、受話音量の大きさによらず、常に受話信号を＋６ｄＢ増幅する。
【００２９】
これにより、風呂リモコン１から送られる音声信号を、台所リモコン１１で、常時大きく増幅した音で聞くことができる。
【００３０】
ボイススイッチ機能を入にした場合は、子供の入浴の見守りなど、風呂リモコン１側の小さな音、例えば、体を洗うなどの異常ではない音は、台所リモコン１１側では小さな音で出力し、台所リモコン１１側でうるさくないようにできるという効果がある反面、高齢者の入浴の見守りという状況では、もともと静かに入浴しているので、台所リモコン１１側では入浴の状況がよくつかめないという状況も考えられる。そのような状況において、切替手段２４でボイススイッチ機能を「切」に切り替えることにより、見守り機能を向上させることができる。
【００３１】
さらに、本実施の形態では、感度設定手段２５を設けている。感度設定手段２５では、ボイススイッチ回路２２の受話感度、すなわち、風呂リモコン１から送られてきた音声信号を＋６ｄＢする感度を設定できる。感度設定手段２５を設けることにより、使用者の家庭の実態に合わせた感度調整ができる。よって、静かな音で入浴する場合の見守りとしては、感度設定手段２５で感度を高く設定する。すなわち、風呂リモコン１側の小さな音でも増幅するように、ボイススイッチ回路２２を設定する。また、子供の入浴を見守るような場合は、わいわいがやがや入浴することが多いので、感度設定手段２５の感度を低く設定することにより、使いやすくなる。
【００３２】
なお、「浴室モニタースイッチ２３を使用者が押すと、マイコン１７は、ボイススイッチ回路２２の送話音量信号を停止させる。つまり、ボイススイッチ回路２２のマイク入力部をミュートさせる。」としたが、マイク回路１９の電源を切断することでも実現できるし、マイク１２の信号をミュートすることでも実現できる。
【産業上の利用可能性】
【００３３】
以上のように、本発明にかかる給湯機のリモコン装置は、浴室モニター時に、ボイススイッチ回路を利用し、風呂リモコンのマイクに入力される音が小さい場合は、ボイススイッチが反応しないため、台所リモコンでは浴室の音が極めて小さくなり、また、浴室から入浴者が呼んでいるような場合などは、ボイススイッチが反応するため、台所リモコンからは、その呼び声が、大きく聞こえる。このようなリモコン装置は、給湯器などを操作するリモコンに適しており、ヒートポンプ式給湯器や、電器温水器などのリモコン装置に適している。
【図面の簡単な説明】
【００３４】
【図１】本発明の実施の形態１におけるリモコン装置のブロック図
【符号の説明】
【００３５】
１  風呂リモコン（一方のリモコン）
２  マイク
１１  台所リモコン（他方のリモコン）
１４  スピーカー
２２  ボイススイッチ回路
２４  切替手段
２５  感度設定手段
【図１】
2009250561.tif 000003